(57)【特許請求の範囲】
【請求項１】
ディジタル信号を記録または再生する記録再生手段と、
前記記録再生手段で記録または再生されるディジタル信号を所定のファイル形式へ変換して利用することの禁止を選択するファイル変換禁止選択手段と、
前記ファイル変換禁止選択手段で前記所定のファイル形式への変換の禁止が選択された場合に、前記記録再生手段で記録または再生されるディジタル信号にファイル変換禁止信号を付加するファイル変換禁止信号付加手段と
を備え、
前記所定のファイル形式は、コンピュータ上で２次加工およびネットワーク転送が可能なファイル形式であることを特徴とする記録再生装置。
【請求項２】
前記記録再生手段は、映像および音声を含むディジタル信号を記録または再生することを特徴とする請求項１に記載の記録再生装置。
【請求項３】
入力されるディジタル信号に、そのディジタル信号を所定のファイル形式に変換して利用することを禁止するためのファイル変換禁止信号が付加されているかどうか検出するファイル変換禁止信号検出手段と、
前記ファイル変換禁止信号検出手段により前記ファイル変換禁止信号が検出された場合には、前記入力されるディジタル信号を前記所定のファイル形式に変換しないように動作するファイル変換手段と、
前記ファイル変換禁止信号検出手段により前記ファイル変換禁止信号が検出された場合に、警告表示を出力する処理を行う警告表示出力手段と
を備え、
前記所定のファイル形式は、コンピュータ上で２次加工およびネットワーク転送が可能なファイル形式であることを特徴とするファイル変換装置。
【請求項４】
前記入力されるディジタル信号は、請求項１又は２に記載の記録再生装置により再生されるディジタル信号であることを特徴とする請求項３に記載のファイル変換装置。
【請求項５】
ディジタル信号を所定のファイル形式へ変換して利用することの禁止を選択するファイル変換禁止選択手段と、
前記ファイル変換禁止選択手段で前記所定のファイル形式への変換の禁止が選択された場合に、前記ディジタル信号にファイル変換禁止信号を付加するファイル変換禁止信号付加手段と、
前記ディジタル信号に前記ファイル変換禁止信号が付加されているかどうか検出するファイル変換禁止信号検出手段と、
前記ファイル変換禁止信号検出手段により前記ファイル変換禁止信号が検出された場合には、前記ディジタル信号を前記所定のファイル形式に変換しないように動作するファイル変換手段と、
前記ファイル変換禁止信号検出手段により前記ファイル変換禁止信号が検出された場合に、警告表示を出力する処理を行う警告表示出力手段と
を備え、
前記所定のファイル形式は、コンピュータ上で２次加工およびネットワーク転送が可能なファイル形式であることを特徴とするディジタル信号のファイル変換禁止システム。
【請求項６】
記録再生手段と、ファイル変換禁止選択手段と、ファイル変換禁止信号付加手段とを備えた記録再生装置におけるディジタル信号処理方法であって、
前記記録再生手段が、ディジタル信号を記録または再生する記録再生処理と、
前記ファイル変換禁止選択手段が、前記記録再生処理で記録または再生されるディジタル信号を所定のファイル形式へ変換して利用することの禁止を選択するファイル変換禁止選択処理と、
前記ファイル変換禁止選択処理で前記所定のファイル形式への変換の禁止が選択された場合に、前記ファイル変換禁止信号付加手段が、前記記録再生処理で記録または再生されるディジタル信号にファイル変換禁止信号を付加するファイル変換禁止信号付加処理と
を備え、
前記所定のファイル形式は、コンピュータ上で２次加工およびネットワーク転送が可能なファイル形式であることを特徴とするディジタル信号処理方法。
【請求項７】
ファイル変換禁止信号検出手段と、ファイル変換手段と、警告表示出力手段とを備えたファイル変換装置におけるディジタル信号処理方法であって、
前記ファイル変換禁止信号検出手段が、入力されるディジタル信号に、そのディジタル信号を所定のファイル形式に変換して利用することを禁止するためのファイル変換禁止信号が付加されているかどうか検出するファイル変換禁止信号検出処理と、
前記ファイル変換禁止信号検出処理により前記ファイル変換禁止信号が検出された場合には、前記ファイル変換手段が、前記入力されるディジタル信号を前記所定のファイル形式に変換しないように動作するファイル不変換処理と、
前記ファイル変換禁止信号検出処理により前記ファイル変換禁止信号が検出された場合に、前記警告表示出力手段が、警告表示を出力する処理を行う警告表示出力処理と
を備え、
前記所定のファイル形式は、コンピュータ上で２次加工およびネットワーク転送が可能なファイル形式であることを特徴とするディジタル信号処理方法。
【発明の詳細な説明】
【０００１】
【発明の属する技術分野】
本発明は記録再生装置に関し、特に、映像や音声をディジタル信号にて記録再生可能なディジタル記録再生装置に用いて好適なものである。また、本発明は、ディジタル化された映像信号や音声信号を所定のファイル形式に変換するファイル変換装置に関するものである。さらに本発明は、映像信号や音声信号などのディジタル信号をファイル変換することを禁止するためのファイル変換禁止システムに関するものである。さらに本発明は、映像信号や音声信号などのディジタル信号を処理するディジタル信号処理方法に関するものである。
【０００２】
【従来の技術】
従来、記録再生装置の中には、著作権に係る映像や音声などが無断でコピーされることを防止するための手段を備えたものがある。映像や音声をアナログビデオ信号に変換して記録するアナログ記録再生装置におけるコピー防止策としては、アナログの記録媒体に最初にアナログビデオ信号を記録する際にその垂直同期信号を加工して記録しておき、このビデオ信号を再生して別の記録再生装置で再記録しようとする場合に、垂直同期分離回路に誤動作を起こさせ、これによって正しく記録できなくする方法などが実用化されている。
【０００３】
また、映像や音声をディジタルビデオ信号に変換して記録するディジタル記録再生装置においては、何のコピー防止手段も講じなければ、画質や音質の劣化がほとんどないディジタルコピーが可能である。そこで、著作権で保護されている映像や音声を無断コピーから護るために、以下のようなコピー防止方法が実用化されている。
【０００４】
すなわち、映像や音声の記録媒体への記録時に著作権保護のための信号を付加情報として記録しておき、再生時にこの著作権保護のため信号が再生された場合に、再生動作を止めたり外部への出力をミュートしたりするようにする。また、ディジタルデータに著作権保護のため信号が付加情報として記録されているときは、映像や音声の再記録時に記録動作を止めたり外部からの入力をミュートしたりするようにする方法である。なお、個人として楽しむことなどを目的とした映像や音声に関しては、記録時に著作権保護のため信号は付加しない。
【０００５】
【発明が解決しようとする課題】
上記従来例においては、私的に個人として楽しむなどの目的で映像や音声を記録した録画物に関しては制限なくコピーを行うことができた。また従来は、私的な録画物を私的に複製して特定の人物等に配付したならば、受け取った特定の人物等が前記複製録画物を再生してＴＶ画像上で視聴することは、これを配付する時点で許諾済みであることを前提としていた。
【０００６】
しかしながら、近年一般の家庭でもコンピュータが普及し、ビデオなどで再生された映像や音声を高品位なディジタル信号のままでコンピュータに取り込み、後からコンピュータ上で自由に２次加工可能なファイルデータとしての画像や音にファイル変換する技術が実用化され、普及し始めている。
【０００７】
したがって、私的に個人として楽しむなどの目的で映像や音声を記録した録画物のコピーであっても、前記ファイルデータに変換してしまえば、コンピュータ上で自由に２次加工をすることが可能である。また、例えばネットワーク接続されたコンピュータならば、他のネットワーク接続された多くのコンピュータへの転送を瞬時に行うことも可能である。このネットワーク接続は国外に及ぶ場合もある。
【０００８】
このような映像・音声信号の２次加工可能な再利用形態は、前記複製録画物を配付する時点で許諾済みであるとはいえず、著作権や肖像権侵害などの重大な問題が発生する恐れがある。
本発明は以上のような実情に鑑みて成されたものであり、映像・音声信号の私的な録画物であっても、その作者が許可しない２次加工可能な再利用の形態を有効に防止できるようにすることを目的とする。
【０００９】
【課題を解決するための手段】
本発明の記録再生装置は、ディジタル信号を記録または再生する記録再生手段と、前記記録再生手段で記録または再生されるディジタル信号を所定のファイル形式へ変換して利用することの禁止を選択するファイル変換禁止選択手段と、前記ファイル変換禁止選択手段で前記所定のファイル形式への変換の禁止が選択された場合に、前記記録再生手段で記録または再生されるディジタル信号にファイル変換禁止信号を付加するファイル変換禁止信号付加手段とを備え、前記所定のファイル形式は、コンピュータ上で２次加工およびネットワーク転送が可能なファイル形式であることを特徴とする。
【００１０】
本発明のファイル変換装置は、入力されるディジタル信号に、そのディジタル信号を所定のファイル形式に変換して利用することを禁止するためのファイル変換禁止信号が付加されているかどうか検出するファイル変換禁止信号検出手段と、前記ファイル変換禁止信号検出手段により前記ファイル変換禁止信号が検出された場合には、前記入力されるディジタル信号を前記所定のファイル形式に変換しないように動作するファイル変換手段と、前記ファイル変換禁止信号検出手段により前記ファイル変換禁止信号が検出された場合に、警告表示を出力する処理を行う警告表示出力手段とを備え、前記所定のファイル形式は、コンピュータ上で２次加工およびネットワーク転送が可能なファイル形式であることを特徴とする。
【００１１】
本発明のディジタル信号のファイル変換禁止システムは、ディジタル信号を所定のファイル形式へ変換して利用することの禁止を選択するファイル変換禁止選択手段と、前記ファイル変換禁止選択手段で前記所定のファイル形式への変換の禁止が選択された場合に、前記ディジタル信号にファイル変換禁止信号を付加するファイル変換禁止信号付加手段と、前記ディジタル信号に前記ファイル変換禁止信号が付加されているかどうか検出するファイル変換禁止信号検出手段と、前記ファイル変換禁止信号検出手段により前記ファイル変換禁止信号が検出された場合には、前記ディジタル信号を前記所定のファイル形式に変換しないように動作するファイル変換手段と、前記ファイル変換禁止信号検出手段により前記ファイル変換禁止信号が検出された場合に、警告表示を出力する処理を行う警告表示出力手段とを備え、前記所定のファイル形式は、コンピュータ上で２次加工およびネットワーク転送が可能なファイル形式であることを特徴とする。
本発明のディジタル信号処理方法は、記録再生手段と、ファイル変換禁止選択手段と、ファイル変換禁止信号付加手段とを備えた記録再生装置におけるディジタル信号処理方法であって、前記記録再生手段が、ディジタル信号を記録または再生する記録再生処理と、前記ファイル変換禁止選択手段が、前記記録再生処理で記録または再生されるディジタル信号を所定のファイル形式へ変換して利用することの禁止を選択するファイル変換禁止選択処理と、前記ファイル変換禁止選択処理で前記所定のファイル形式への変換の禁止が選択された場合に、前記ファイル変換禁止信号付加手段が、前記記録再生処理で記録または再生されるディジタル信号にファイル変換禁止信号を付加するファイル変換禁止信号付加処理とを備え、前記所定のファイル形式は、コンピュータ上で２次加工およびネットワーク転送が可能なファイル形式であることを特徴とする。
また、本発明のディジタル信号処理方法は、ファイル変換禁止信号検出手段と、ファイル変換手段と、警告表示出力手段とを備えたファイル変換装置におけるディジタル信号処理方法であって、前記ファイル変換禁止信号検出手段が、入力されるディジタル信号に、そのディジタル信号を所定のファイル形式に変換して利用することを禁止するためのファイル変換禁止信号が付加されているかどうか検出するファイル変換禁止信号検出処理と、前記ファイル変換禁止信号検出処理により前記ファイル変換禁止信号が検出された場合には、前記ファイル変換手段が、前記入力されるディジタル信号を前記所定のファイル形式に変換しないように動作するファイル不変換処理と、前記ファイル変換禁止信号検出処理により前記ファイル変換禁止信号が検出された場合に、前記警告表示出力手段が、警告表示を出力する処理を行う警告表示出力処理とを備え、前記所定のファイル形式は、コンピュータ上で２次加工およびネットワーク転送が可能なファイル形式であることを特徴とする。
【００１２】
前記のように構成した本発明によれば、記録再生手段で記録または再生するディジタル信号をファイル変換禁止の信号にするかどうかをファイル変換禁止選択手段により選択する。ファイル変換禁止信号付加手段は、前記選択手段でファイル変換の禁止が選択されていた場合、前記記録再生手段で記録または再生するディジタル信号にファイル変換禁止信号を付加するように動作する。
【００１３】
ファイル変換禁止信号検出手段は、例えば記録再生装置から再生出力されたディジタル信号にファイル変換禁止信号が付加されているかどうかを検出し、ファイル変換禁止信号を検出した場合は、ファイル変換手段に対し、例えばコンピュータ上で処理が可能なファイル形式に変換する動作を行わせないように動作するため、私的な録画物であっても、作者が許可しない２次加工可能な再利用から有効に保護することが可能になる。
【００１４】
【発明の実施の形態】
以下、本発明の一実施形態を図面を参照しながら説明する。
図１は、本実施形態に係るディジタル記録再生装置の概念的な構成を示すブロック図である。図１において、本実施形態のディジタル記録再生装置は、以下に述べる１０１〜１１１（１０９を除く）の各構成を備えている。１０１はアナログの映像信号や音声信号を入力するアナログ入力端子、１０２は前記入力端子１０１から入力されたアナログの映像・音声信号をディジタル信号に変換するＡＤ変換器、１０３は記録信号切り替え手段である。
【００１５】
１０４はファイル変換禁止選択スイッチであり、これから記録または再生する映像・音声信号を、今後コンピュータネットワーク転送が可能で画像加工ソフト等を用いて容易に加工可能なファイル形式に変換することを禁止するかどうか選択するために使用する。１０５はファイル変換禁止信号付加手段であり、映像および音声情報を含むディジタル信号にファイル変換禁止信号を付加情報として付加する。
【００１６】
１０６はディジタル記録再生手段であり、前記映像および音声情報を含むディジタル信号、および場合によっては前記ファイル変換禁止信号を図示しない記録媒体に記録するとともに、記録されたこれらの信号を再生する。１０７は前記ディジタル記録再生手段１０６で再生されたディジタル信号をアナログの映像・音声信号に変換するＤＡ変換器である。
【００１７】
１０８は前記アナログの映像・音声信号を出力するアナログ出力端子、１０９は前記アナログ出力端子１０８に接続されたテレビモニタ、１１０は出力ディジタル信号切り替え手段、１１１は前記ディジタル信号等を出力するディジタル出力端子、１１２は前記ディジタル信号をディジタルコピー可能なディジタル記録再生装置であり、前記ディジタル出力端子１１１を介して本実施形態のディジタル記録再生装置に接続される。
【００１８】
次に、前記のように構成した本実施形態によるディジタル記録再生装置の動作を説明する。
まず記録時について述べる。アナログ入力端子１０１から入力された映像・音声信号は、ＡＤ変換器１０２においてディジタル信号に変換された後、記録信号切り替え手段１０３およびファイル変換禁止信号付加手段１０５に供給される。ファイル変換禁止信号付加手段１０５では、前記供給されたディジタル信号にファイル変換禁止信号が付加され、記録信号切り替え手段１０３に出力される。
【００１９】
ここで、操作者は、これから記録する映像や音声を今後コンピュータネットワーク転送が可能で画像加工ソフト等を用いて容易に加工可能なファイル形式に変換することを禁止したい場合には、ファイル変換禁止選択スイッチ１０４を用いてその旨をあらかじめ選択する。
【００２０】
ファイル変換禁止選択スイッチ１０４でファイル変換を禁止することが選択されていない場合、記録信号切り替え手段１０３は、ＡＤ変換器１０２でディジタル信号化された映像・音声信号をディジタル記録再生手段１０６にて図示しない記録媒体に記録するように切り替わる。
【００２１】
一方、ファイル変換禁止選択スイッチ１０４によりファイル変換を禁止することが選択されている場合、記録信号切り替え手段１０３は、ファイル変換禁止信号付加手段１０５により付加情報としてファイル変換禁止信号が付加されたディジタル信号をディジタル記録再生手段１０６にて図示しない記録媒体に記録するように切り替わる。
【００２２】
次に再生時について述べる。ディジタル記録再生手段１０６で図示しない記録媒体より再生されたディジタル信号は、ファイル変換禁止信号付加手段１０５、ＤＡ変換器１０７および出力ディジタル信号切り替え手段１１０に供給される。ファイル変換禁止信号付加手段１０５では、前記再生されたディジタル信号にファイル変換禁止信号が付加され、出力ディジタル信号切り替え手段１１０に出力される。
【００２３】
また、ＤＡ変換器１０７に供給されたディジタル信号は、アナログの映像・音声信号に変換され、アナログ出力端子１０８より出力される。このアナログ出力端子１０８にテレビモニタ１０９を接続すると、再生された映像や音声を視聴することができる。
【００２４】
ここで、操作者がディジタル記録再生手段１０６に記録されているディジタル信号を外部のディジタル記録再生装置１１２にディジタルコピーする場合の動作について説明する。操作者がこれから複製するディジタル化された映像や音声を、ファイル変換禁止信号を付加した状態で複製したい場合には、その旨をあらかじめファイル変換禁止選択スイッチ１０４で選択する。
【００２５】
ファイル変換禁止選択スイッチ１０４でファイル変換を禁止することが選択されていない場合、出力ディジタル信号切り替え手段１１０は、ディジタル記録再生手段１０６で再生されたディジタル信号をそのままディジタル出力端子１１１から外部に出力するように切り替わる。
【００２６】
一方、ファイル変換禁止選択スイッチ１０４によりファイル変換を禁止することが選択されている場合、出力ディジタル信号切り替え手段１１０は、ファイル変換禁止信号付加手段１０５により付加情報としてファイル変換禁止信号が付加されたディジタル信号をディジタル出力端子１１１から外部に出力するように切り替わる。
【００２７】
前記出力ディジタル信号切り替え手段１１０により切り替えられたディジタル信号は、ディジタル出力端子１１１に出力される。このディジタル出力端子１１１に映像や音声をディジタルコピー可能なディジタル記録再生装置１１２を接続すれば、操作者の意志によりファイル変換禁止信号を付加した状態で、映像や音声のディジタル信号をディジタルコピーすることが可能となる。このように、私的な録画物を対象とした場合は、複製に関しては自由に行うことができる。
【００２８】
以上のように、本実施形態では、ディジタル信号にファイル変換禁止信号を付加するための操作は、ディジタル記録再生手段１０６で映像や音声を含むディジタル信号を記録する際および再生する際に行うことができるようにしている。したがって、記録時にファイル変換の禁止を選択し忘れても、ディジタル信号を再生する際に選択し直すことができる。また、本実施形態のディジタル記録再生装置以外のファイル変換禁止機能を有していない記録再生装置で記録媒体に記録されたディジタル信号を再生する際にも、ファイル変換の禁止を選択することができるなどのメリットがある。
【００２９】
図２は、本実施形態に係るファイル変換装置の概念的な構成を示すブロック図である。このファイル変換装置は、例えばパーソナルコンピュータ等に備えられる。本実施形態の場合、図１に示したディジタル記録再生装置と図２に示したファイル変換装置とで情報のファイル変換禁止システムが構成される。
【００３０】
図２中に示した１０６、１１１の各ブロックは、図１に示したものと同じである。１１３は映像・音声信号やファイル変換禁止信号を含むディジタル信号を入力するディジタル入力端子、１１４はファイル変換禁止信号検出手段であり、ディジタル入力端子１１３から入力されたディジタル信号にファイル変換禁止信号が付加されているかどうかを検出する。
【００３１】
１１５はディジタル入力信号切断切替手段であり、前記ファイル変換禁止信号検出手段１１４の検出結果に基づいて、前記ディジタル入力端子１１３から入力されたディジタル信号を次段へ供給しないようにする切断処理を行う。１１６はファイル変換手段であり、前記ディジタル入力端子１１３から入力されたディジタル信号を、今後コンピュータネットワーク転送が可能で画像加工ソフト等を用いて容易に加工可能なファイル形式に変換する。
【００３２】
１１７は表示装置出力切替手段、１１８は警告表示出力手段、１１９は表示装置であり、前記表示装置出力切替手段１１７は、前記前記ファイル変換禁止信号検出手段１１４の検出結果に基づいて、ファイル変換手段１１６でファイル変換された画像情報か、警告表示出力手段１１８より出力される警告情報かの何れかを切り替えて表示装置１１９に供給する。
【００３３】
１２０はファイル保存スイッチ、１２１ファイル切断切替手段、１２２はファイル保存手段であり、前記ファイル保存スイッチ１２０は、前記ファイル変換手段１１６で所定のファイル形式に変換されたディジタルの映像・音声信号をファイル保存手段１２２に保存する際に使用する。ファイル切断切替手段１２１は、前記ファイル保存スイッチ１２０が操作されているかどうかによって、前記ファイル変換手段１１６より出力されるファイル形式のディジタル信号をファイル保存手段１２２に供給するかどうかを切り替える処理を行う。
【００３４】
次に、図２を用いて本実施形態によるファイル変換装置の動作を説明する。
まず最初に操作者は、準備として、ディジタル出力端子１１１より出力されるディジタル信号がディジタル入力端子１１３に入力されるように、図１に示した本実施形態のディジタル記録再生装置と図２に示した本実施形態のファイル変換装置とを接続する。
【００３５】
ディジタル入力端子１１３から入力されたディジタル信号は、ファイル変換禁止信号検出手段１１４およびディジタル入力信号切断切替手段１１５に供給される。ファイル変換禁止信号検出手段１１４は、入力されたディジタル信号にファイル変換禁止信号が付加されているかどうか検出する。
【００３６】
ここで、ファイル変換禁止信号が付加されていることを検出した場合、ファイル変換禁止信号検出手段１１４は、ディジタル入力信号切断切替手段１１５を切断して、ファイル変換手段１１６にディジタル信号が入力されないようにする。また、表示装置出力切替手段１１７を切り替えて、警告表示出力手段１１８からの警告出力を表示装置１１９に表示するようにすることにより、操作者に対して注意を促す。
【００３７】
一方、ファイル変換禁止信号が付加されていることが検出されない場合は、ファイル変換禁止信号検出手段１１４は、ディジタル入力信号切断切替手段１１５を導通状態にし、ファイル変換手段１１６にディジタル信号が入力されるようにする。また、表示装置出力切替手段１１７を切り替えて、ファイル変換手段１１６からの画像出力を表示装置１１９に表示するようにする。なお、ここでは図示していないが、ファイル変換手段１１６から出力される音声情報は、スピーカ等より出力される。
【００３８】
操作者は、ファイル変換手段１１６でファイル変換された画像や音声を表示装置１１９上での表示や図示しないスピーカからの音で確認し、それらを記録媒体に保存したければ、ファイル保存スイッチ１２０を操作する。ファイル保存スイッチ１２０が操作されると、ファイル切断切替手段１２１が導通状態となり、ファイル保存手段１２２に画像ファイルおよび音声ファイルが保存される。
【００３９】
以上述べてきたように、本実施形態のディジタル記録再生装置で記録するディジタル信号、または再生出力するディジタル信号をファイル変換禁止の信号にすることを操作者があらかじめファイル変換禁止選択スイッチ１０４で選択していた場合、ファイル変換禁止信号付加手段１０５は、前記記録または再生出力するディジタル信号にファイル変換禁止信号を付加するように動作する。
【００４０】
また、ファイル変換禁止信号検出手段１１４は、図１のディジタル記録再生装置から再生出力されたディジタル信号にファイル変換禁止信号が付加されているかどうかを検出し、ファイル変換禁止信号を検出した場合は、ファイル変換手段１１６が入力されたディジタル信号をファイル形式に変換することを不可能とするように動作する。
【００４１】
したがって、ディジタル記録再生装置で映像や音声を含むディジタル信号を記録または再生する際に、操作者が自分の意思により前記ディジタル信号を所定のファイル形式に変換することを認めるか否かを決定することができる。そして、認めないこととした場合には、その後前記ディジタル信号をパーソナルコンピュータ等に取り込んでも、コンピュータネットワーク転送が可能で容易に加工が可能なファイルには変換されないようにすることができる。
【００４２】
これにより、個別な複製等に関しては自由に行うことができる私的な録画物であっても、作者が許可しない第三者による録画ソースの再利用や２次加工を有効に防止することができる。つまり、高品位なディジタル信号のままでパーソナルコンピュータ等に取り込み、後からコンピュータ上で自由に加工したり、ネットワーク接続された他の多くのコンピュータへ瞬時に転送したりするなどの利用を事前に禁止することができる。
【００４３】
なお、以上の実施形態では、ファイル変換禁止選択スイッチ１０４の操作に応じてファイル変換禁止信号を付加するかどうかを決めていたが、このようなスイッチを設けることなく、ファイル変換禁止信号を必ず付加するように構成しても良い。
【００４４】
【発明の効果】
本発明は上述したように、記録再生手段で記録または再生するディジタル信号をファイル変換禁止の信号にするかどうかをファイル変換禁止選択手段によって選択し、前記選択手段でファイル変換の禁止が選択された場合に、記録再生手段で記録または再生するディジタル信号にファイル変換禁止信号を付加するようにしたので、操作者が自分の意思により前記ディジタル信号を所定のファイル形式に変換することを認めるか否かを決定することができる。
【００４５】
また、前記ディジタル信号にファイル変換禁止信号が付加されているかどうかをファイル変換禁止信号検出手段で検出し、ファイル変換禁止信号を検出した場合に、前記ディジタル信号を所定のファイル形式には変換しないようにしたので、私的な録画物であっても、作者が許可しない録画ソースの再利用や２次加工が第三者によって無断で行われることを有効に防止することができる。
【図面の簡単な説明】
【図１】本発明の一実施形態に係るディジタル記録再生装置の概念的な構成を示すブロック図である。
【図２】本発明の一実施形態に係るファイル変換装置の概念的な構成を示すブロック図である。
【符号の説明】
１０３  記録信号切り替え手段
１０４  ファイル変換禁止選択スイッチ
１０５  ファイル変換禁止信号付加手段
１０６  ディジタル記録再生手段
１１０  出力ディジタル信号切替手段
１１４  ファイル変換禁止信号検出手段
１１５  ディジタル入力信号切断切替手段
１１６  ファイル変換手段
１１７  表示装置出力切替手段
【図１】
0004336396.tif 000002
【図２】
0004336396.tif 000003